(57)【要約】【課題】  単に髪や頭皮を洗浄するだけでなく、物理的に頭皮を押圧パッドと水流で刺激できる頭皮刺激用シャワ−ヘッドを提供すること。【解決手段】  シャワ−ヘッドのヘッド本体１の内部に切換バルブ４８の給水路５２から給水される水圧で回転する水車６を軸支し、水車６の回転を昇降機構４６を介して押圧パッド３８の上下運動に変換する。また、水車６の回転を減速機構１０を介して昇降機構４６に伝達する。このほか、押圧パッド３８を交換自在に昇降機構４６の昇降軸２７に係止する。【選択図】          図２
2006212391.tif 000002
【特許請求の範囲】
【請求項１】
シャワ−ヘッドにおいて、ヘッド本体の内部に、切換バルブの給水路から給水される水圧で回転する水車を軸支し、該水車の回転を昇降機構を介して押圧パッドの上下運動に変換して成る頭皮刺激用シャワ−ヘッド。
【請求項２】
水車の回転が、減速機構を介して昇降機構に伝達されて成る請求項１記載の頭皮刺激用シャワ−ヘッド。
【請求項３】
押圧パッドが交換自在である請求項１又は２記載の頭皮刺激用シャワ−ヘッド。
【発明の詳細な説明】
【技術分野】
【０００１】  本発明は、髪または頭皮を洗う用具及び衛生設備の分野に属する。
【背景技術】
【０００２】  頭皮洗浄に関する技術は、特開２００３−２１０２３９号公報（特許文献１）、特開２００４−０５７５１０号公報（特許文献２）、特開２００４−０５７５１２号公報（特許文献３）、特開２００４−０５７５１３号公報（特許文献４）、特開２００４−１４４０２３号公報（特許文献５）と種々提案されているが、何れも脈動水流を頭皮に吐出させて洗浄するものであり、パッドの押圧吸引によるマッサ−ジ効果は得られないものである。
【特許文献１】  特開２００３−２１０２３９号公報
【特許文献２】  特開２００４−０５７５１０号公報
【特許文献３】  特開２００４−０５７５１２号公報
【特許文献４】  特開２００４−０５７５１３号公報
【特許文献５】  特開２００４−１４４０２３号公報
【発明の開示】
【発明が解決しようとする課題】
【０００３】  本発明は、単に髪や頭皮を洗浄するだけでなく、物理的に頭皮を押圧パッドと水流で刺激できる頭皮刺激用シャワ−ヘッドを提供するものである。
【課題を解決するための手段】
【０００４】  上記課題を達成する本発明の請求項１に記載した頭皮刺激用シャワ−ヘッドは、シャワ−ヘッドにおいて、ヘッド本体の内部に切換バルブの給水路から給水される水圧で回転する水車を軸支し、該水車の回転を昇降機構を介して押圧パッドの上下運動に変換して成る。
また、請求項２に記載した発明は、請求項１に記載した頭皮刺激用シャワ−ヘッドにおいて、水車の回転が、減速機構を介して昇降機構に伝達されて成る。
さらに、請求項３に記載した発明は、請求項１又は２に記載した頭皮刺激用シャワ−ヘッドにおいて、押圧パッドが交換自在である。
【発明の効果】
【０００５】  本発明の頭皮刺激用シャワ−ヘッドによれば、ヘッド本体からの散水による髪や頭皮の洗浄は勿論のこと、給水の水圧で回転するエネルギ−が昇降機構を介して押圧パッドの上下運動に変換され、その下降時に頭皮を優しく押圧刺激するとともに、上降時に頭皮を吸引して毛穴の汚れを除去し、その血行を良好にして毛根を刺激し、発毛を促進するマッサ−ジ効果が期待できる。
【発明を実施するための最良の形態】
【０００６】  昇降機構による押圧パッドの吸引動作は、該押圧パッドの弾性復元力によるものから、強制的な弾発力によるものまで選択され、また、その吸引速度は、減速機構を介して減速されるものから、水車の回転数と１：１で流量調整によって対応するものまで選択される。
【実施例】
【０００７】  本発明の頭皮刺激用シャワ−ヘッドＡを実施例により説明すると、図１、図２に示すように、円柱状のヘッド本体１には上部室２と下部室３が、中央に角孔４を開口した中仕切５によってそれぞれ上下に分割されて形成され、上部室２には水車６が遊嵌されてその下面に垂下した突出座７が中仕切５の上面に凹設した受け座８に回動自在に軸支される。そして、図３に示すように、水車６の上面中央に一体に立設した第１太陽歯車９には二段の遊星歯車機構から成る減速機構１０の一段目の第１キャリア−１１で等分に軸支される３個の第１遊星歯車１２が噛合され、各第１遊星歯車１２はそれぞれ内歯車１３に噛合される。さらに、前記第１キャリア−１１の上面中央に一体に立設した第２太陽歯車１４には二段目の第２キャリア−１５で等分に軸支される３個の第２遊星歯車１６が噛合され、各第２遊星歯車１６も前記内歯車１３に噛合され、前記第２キャリア−１５の上面中央には円筒軸１７が一体に立設されるとともに、少し距離を置いて突起１８が立設される。前記内歯車１３の上部には二段目の第２キャリア−１５を塞ぐように、かつ、前記円筒軸１７と突起１８をのぞかせる大径口を開口した上蓋１９が一体に設けられ、その下部には中央に前記第１太陽歯車９を挿通案内する挿通孔２０を開口したＵ状の下蓋２１が外嵌されて減速機構１０が構成され、該下蓋２１のフランジの下面がヘッド本体１の上面に着座し、前記大径口には、図２に示すように、中央に前記円筒軸１７に嵌合する嵌合孔１７ａを開口するととともに、前記突起１８に嵌着する嵌着孔１８ａを開口したカム２２が遊嵌され、該カム２２の円筒部の上面には対向する状態で昇降ストロ−クが５ｍｍのカム面２３が形成され、両カム面２３には円盤体２４の対向周面より垂下し、下端を円弧面に形成したスタイラス２５を当接し、該円盤体２４の中央に開口した小角孔２６には昇降軸２７の軸上端部に形成した小角軸２８が嵌着されて座金を介してビスで抜け止めされ、図４に示すように、昇降軸２７の小角軸２８の下方は所要長の丸軸２９に形成され、該丸軸２９は円筒軸１７を含む第２キャリア−１５の丸孔及び第２太陽歯車１４を含む第１キャリア−１１の丸孔及び第１太陽歯車９の丸孔及び水車６の本体内に開口された大径孔３０に挿通され、さらに該大径孔３０の内部で前記丸軸２９の下端に一体に形成される角軸３１は前記中仕切５の角孔４に案内されて前記下部室３の中程に至る長さであり、その下部で中心に小丸孔３２が所要深さに設けられるとともに、下端部には軸心外面から該小丸孔３２に貫通して下端から逆Ｌ字状の係止溝３３が欠切され、該小丸孔３２には、下端に円盤状の座盤３４を設けた丸軸３５と、該丸軸３５の所要位置の周面で軸心に直交して打設された係止ピン３６と、前記座盤３４に中央の溝部で弾性変形を伴って外嵌する吸盤３７とから成る押圧パッド３８が前記丸軸３５において嵌着され、前記係止溝３３に係止ピン３６が係止されて交換自在に抜け止めされる。また、前記カム２２の円筒部の外周に周設されるフランジの下面と内歯車１３の上蓋１９の上面は軸受け３９に案内される。
また、下部室３の下面の中央にはネジ孔４０が開口され、その周囲には３列に渡って小径の散水孔４１が多数開口され、前記ネジ孔４０には中仕切５の下面に垂下する水切り円筒４２に外嵌してその上端を下部室３の内部上面に密接する円筒体４３のネジ部を螺着し、該円筒体４３の下端周面には前記吸盤３７の周部を外嵌して成る。
さらに、前記減速機構１０では、その内歯車１３を包蔵する形で逆Ｕ状で中央に大径のネジ孔を螺設した押さえ金４４が上蓋１９に被蓋され、ビスでヘッド本体１の上面に締結され、前記ネジ孔には、凸状のカバ−４５が内部に昇降機構４６の昇降動作をする円盤体２４を収蔵してその下端のフランジを螺嵌して成る。
一方、ヘッド本体１の左方に一体に延設される柄部４７には切換バルブ４８が設けられ、該柄部４７の突端にはネジ軸４９が設けられ、軸内端には水密を確保するＯリング５０が外嵌される。
そして、ネジ軸４９の軸端から切換バルブ４８の挿入孔５１に向けて給水路５２が連通され、一方、ヘッド本体１の右方で上部室２の中間部での外周の上下からは前記挿入孔５１に向けて上部室２の室内に開口するそれぞれの通水孔５３が連通され、下方の通水孔５３に対しては、図５乃至図７に示すように、ヘッド本体１の中心から左方の周壁内に上面から通水孔５３の軸心に直交する連通孔５４が下部室３に連通できる深さまで穿設され、該連通孔５４の下端部で外周からヘッド本体１の中心に向けて連通孔５４の軸心に水平に直交して吐出孔５５を貫設し、該吐出孔５５の連通孔５４より外周側には止水栓５６が打設され、さらに、ヘッド本体１の上面から通水孔５３の上端に至る連通孔５３に止水栓５６が打設され、さらに、通水孔５３の上部室２の内周面から連通孔５４の周面に至り止水栓５６を嵌着するとともに、該通水孔５３の外端から上部室２の内周面に至り止水栓５６を打設して成り、上方の通水孔５３に対しては前記の要領で、ヘッド本体１の中心から右方の周壁内に上面から通水孔５３の軸心に直交する連通孔５４が下部室３に連通できる深さまで穿設され、該連通孔５４のヘッド本体１の上面から通水孔５３の上端周に至る間に止水栓５６が打設され、該連通孔５４の下端部には外周からヘッド本体１の中心に向けて連通孔５４の軸心に水平に直交して吐出孔５５を貫設し、該吐出孔５５の連通孔５４より外周側には止水栓５６が打設され、また、前記通水孔５３の外端から連通孔５４の周面に至り止水栓５６が打設される。
前記挿通孔５１には上端に切換バルブ４８の切換レバ−５７を一体にしたバルブ本体５８が挿通され、該バルブ本体５８には前記各通水孔５３に連通される連通孔５９が開口されて成る。【０００８】  このようにして成る頭皮刺激用シャワ−ヘッドＡは、左端のネジ軸４９に給水ホ−ス（図外）が螺着され、切換バルブ４８の切換レバ−５７を操作してバルブ本体５８の連通孔５９により左方の給水路５２を平面上で右上方の通水孔５３に連通すると、給水源から給水される水は給水路５２から上方の通水孔５３に通水され、上部室２の内部に収められた水車６を回転し、回転し終えた水は連通孔５４を通って下部室３へ吐出口５５から給水され、下面の散水孔４１から散水される。
そして、水車６の回転によって該水車６と一体に回転する第１太陽歯車９は減速機構１０にその回転を伝達し、最終的にカム２２が減速回転され、すなわち、水車の１００回転に対して５、３回転に減速され、その回転に伴って昇降軸２７が昇降し、下端の押圧パッド３８の吸盤３７が弾性変形で伸長し、その中心部のみを上下に所要ストロ−ク昇降し（降下は弾性復元力による）、頭皮への押圧と吸引を繰り返し、頭皮を優しいマッサ−ジにより刺激するものである。
また、切換バルブ４８のバルブ本体５８の連通孔５９を平面上で右下方の通水孔５３に連通した場合には、水車６は回転しないで水は通水孔５３を通って連通孔５４へ案内され、吐出孔５５から下部室３に給水され、下面の散水孔４１から散水され、専らシャワ−として髪及び頭皮の洗浄に使用されるものである。【０００９】  次に、図８に示した押圧パッド３８は、下部室３の下面のネジ孔４０に螺着される円筒体４３の内周面に案内され、円盤部６０と円盤部６０の内面中央に突設する丸軸３５と、丸軸３５の所要位置の周面で軸心に直交して打設された係止ピン３６と、円盤部６０の外面中央に垂下する小円筒６１と、小円筒６１の突端から内嵌し、逆凹状の底面に吸引口６２を開口した吸盤６３と、円盤部６０の内面と下部室３の内部上面に係着されるスプリング６４とから成り、係止ピン３６が昇降軸２７の角軸３１に欠切された係止溝３３に係止されて、水車６の回転に伴って吸盤６３の吸引時はカム２２で強制的に吸盤６３が持ち上げられるとともに、スプリング６４が圧縮され、押圧時にはスプリング６４の圧縮反力で吸盤６３が優しく頭皮を押圧刺激するものである。
なお、交換自在な押圧パッド３８は実施例のものに限定されるものではなく、各種のサイズ、形態に選択されて頭皮を優しく押圧吸引するものとして提供されるものである。
【産業上の利用可能性】
【００１０】  本発明は、浴室付属具として一般に普及されているシャワ−と同様の使用状態で頭皮刺激に利用され、マッサ−ジ効果による頭髪の発毛促進に寄与し、その販路の拡大が期待できるから、その製造業界をも刺激するものである。
【図面の簡単な説明】
【００１１】
【図１】  本発明に係る頭皮刺激用シャワ−ヘッドＡの平面図。
【図２】  図１の要部の縦断面図。
【図３】  減速機構１０の説明用要部断面図。
【図４】  昇降軸２７の説明用正面図。
【図５】  図２のヘッド本体１のみのＡ−Ａ矢視断面図。
【図６】  図５のＢ−Ｂ矢視断面図。
【図７】  図５のＣ−Ｃ矢視断面図。
【図８】  押圧パッド３８の他の実施態様における説明用の要部断面図。
【符号の説明】
【００１２】１  ヘッド本体
２  上部室
３  下部室
４  角孔
５  中仕切
６  水車
７  突出座
８  受け座
９  第１太陽歯車
１０  減速機構
１１  第１キャリア−
１２  第１遊星歯車
１３  内歯車
１４  第２太陽歯車
１５  第２キャリア−
１６  第２遊星歯車
１７  円筒軸
１８  突起
１９  上蓋
２０  挿通孔
２１  下蓋
２２  カム
２３  カム面
２４  円盤体
２５  スタイラス
２６  小角孔
２７  昇降軸
２８  小角軸
２９  丸軸
３０  大径孔
３１  角軸
３２  丸小孔
３３  係止溝
３４  座盤
３５  丸軸
３６  係止ピン
３７  吸盤
３８  押圧パッド
３９  軸受け
４０  ネジ孔
４１  散水孔
４２  水切り円筒
４３  円筒体
４４  押さえ金
４５  カバ−
４６  昇降機構
４７  柄部
４８  切換バルブ
４９  ネジ軸
５０  Ｏリング
５１  挿入孔
５２  給水路
５３  通水孔
５４  連通孔
５５  吐出孔
５６  止水栓
５７  切換レバ−
５８  バルブ本体
５９  連通孔
６０  円盤部
６１  小円筒
６２  吸引口
６３  吸盤
６４  スプリング
Ａ  頭皮刺激用シャワ−ヘッド
【図１】
2006212391.tif 000003
【図２】
2006212391.tif 000004
【図３】
2006212391.tif 000005
【図４】
2006212391.tif 000006
【図５】
2006212391.tif 000007
【図６】
2006212391.tif 000008
【図７】
2006212391.tif 000009
【図８】
2006212391.tif 000010